(57)【要約】  筐体（２）と、動作時に布（４）上を移動方向に動かされる底面（３）と、底面を加熱する加熱手段（５）を有するアイロン（１）において、底面は、動作時に布の少なくとも一部を硬化させる冷却手段（６）を有する。この手段は、移動方向に見ると、加熱手段の後ろに設けられる。布の繊維を加熱した後、底面にある冷却手段は、底面が依然として布に接触していることにより張力及び圧縮力下にある布の繊維を続けて冷却する。これにより、繊維がより迅速且つ効果的に硬化する。これは、アイロン仕上がりを向上する。
2005510318.tif 000002
【特許請求の範囲】
【請求項１】
筐体と、動作時に布上を移動方向に動かされる底面と、前記底面を加熱する加熱手段とを有するアイロンであって、
前記底面は、動作時に前記布の少なくとも一部を硬化する冷却手段を有し、
前記冷却手段は、前記移動方向に見た場合に、前記加熱手段によって加熱される前記底面の部分の後ろに設けられることを特徴とするアイロン。
【請求項２】
前記冷却手段は、前記移動方向に見た場合に、前記底面の少なくとも後部に設けられることを特徴とする請求項１記載のアイロン。
【請求項３】
前記冷却手段は、前記底面に設けられる複数の通気孔を有し、
前記複数の通気孔は、動作時に前記通気孔を通る気流を生成するユニットに接続することを特徴とする請求項１記載のアイロン。
【請求項４】
前記底面は、動作時に、前記加熱手段によって加熱される少なくとも１つの第１の領域を有し、
前記冷却手段は、動作時に、冷却装置により冷却される少なくとも１つの第２の領域を有することを特徴とする請求項１記載のアイロン。
【請求項５】
前記第１の領域と前記第２の領域の間に、断熱部が設けられることを特徴とする請求項４記載のアイロン。
【請求項６】
前記冷却手段は、制御可能な冷却速度を有することを特徴とする請求項１記載のアイロン。
【請求項７】
前記冷却装置は、少なくとも１つのペルティエ素子を有することを特徴とする請求項４記載のアイロン。
【請求項８】
前記底面は、動作時に加熱される複数の領域と、動作時に冷却される複数の領域を有することを特徴とする請求項４記載のアイロン。
【請求項９】
前記冷却手段は、貯水器と、前記貯水器と前記底面との間の熱接続とを有することを特徴とする請求項１記載のアイロン。
【請求項１０】
前記熱接続は、比較的高い熱伝導率を有する材料から形成される素子を有し、
前記素子は、前記貯水器と熱接触する一端と前記底面と熱接触する他端を有することを特徴とする請求項９記載のアイロン。
【請求項１１】
前記熱接触は、動作時に、前記貯水器と開連通する一端と前記底面と熱接触する他端を有するチャネル内に存在する水柱を有することを特徴とする請求項９記載のアイロン。
【発明の詳細な説明】
【発明の詳細な説明】
【０００１】
本発明は、筐体と、動作時に布上を移動方向に動かされる底面と、底面を加熱する加熱手段を有するアイロンに係る。
【０００２】
冒頭段落に記載したような種類のアイロンは、一般的に知られている。動作時に、アイロンは、移動方向に布上を動かされ、加熱手段によって加熱された底面が、底面の下にある布の繊維を加熱する。底面が、布から持ち上げられると、布は、室温にさらされ、布はゆっくりと冷却する。この冷却は、布の繊維の硬化をもたらし、それにより、布は、ほとんどしわがなくなる。この周知のアイロンを用いて布にアイロン掛けすることの効果は、それ自体は満足のゆくものであるが、布上のアイロン仕上げをよりよくする及びより長く持続することを達成することが常に試みられている。
【０００３】
本発明は、布の硬化を向上し、従って、アイロン仕上げを向上するアイロンを提供することを目的とする。
【０００４】
この目的を達成するために、本発明のアイロンは、底面は、動作時に布の少なくとも一部を硬化する冷却手段を有し、冷却手段は、移動方向に見た場合に、加熱手段によって加熱される底面の部分の後ろに設けられることを特徴とする。布の繊維の硬化は、底面が依然として布に接触している間に、加熱後に冷却されると、向上することが分かっている。アイロンが布上を動かされると、アイロンの重量と動作によって、繊維に張力と圧縮力がかかる。底面の加熱手段は、更に、底面の一部を加熱し、この加熱された底面の一部は、布の繊維を加熱する。これにより、繊維が伸びて、繊維が柔らかく且つ動くようになる。加熱された底面の一部の後ろにある冷却手段は、次に、底面が布に依然として接触していることによって張力及び圧縮力下にある布の繊維を冷却する。これにより、繊維を迅速且つ効果的に硬化させ、従って、アイロン仕上がりが向上する。
【０００５】
本発明のアイロンの１つの実施例は、冷却手段は、移動方向に見た場合に、底面の少なくとも後部に設けられることを特徴とする。このようにすると、布の冷却は、動作時において、布上の移動方向における一回のアイロン掛け工程の少なくとも終わりにおいて行われる。これは、布の繊維の硬化を向上する。
【０００６】
本発明のアイロンの１つの実施例は、冷却手段は、底面に設けられる複数の通気孔を有し、複数の通気孔は、動作時に通気孔を通る気流を生成するユニットに接続することを特徴とする。この比較的簡単な構成は、効果的な冷却、従って、動作時の布の硬化を提供する。
【０００７】
本発明のアイロンの１つの実施例は、底面は、動作時に、加熱手段によって加熱される少なくとも１つの第１の領域を有し、冷却手段は、動作時に、冷却装置により冷却される少なくとも１つの第２の領域を有することを特徴とする。冷却手段は、冷却装置により冷却される底面の特定の部分より構成される。このようにすると、加熱及び冷却は、底面の特定の領域に集中され、これらの領域は、例えば、アイロン掛けされる布の種類に依存して製造時に好適に配置され得る。
【０００８】
第１の領域と第２の領域との間に、断熱部が設けられると有利である。
【０００９】
本発明のアイロンの１つの実施例は、冷却手段は、制御可能な冷却速度を有することを特徴とする。布は、その特性に依存して、様々なアイロン温度を有する。このことは、底面の加熱も、アイロン掛けされる布の種類に依存して変えられるべきであることをもたらす。アイロン時に、様々な布を最適に冷却するには、冷却の程度が、布がさらされた加熱の程度に合わされ得る。アイロン時に比較的高い加熱温度で加熱された布は、その布を冷却するには、低い加熱温度を有する布に比べてより速い冷却速度を必要とする。冷却手段の冷却速度が制御可能であると、冷却速度は、アイロン掛けされる布の種類に適応することが可能である。
【００１０】
冷却装置は、少なくとも１つのペルティエ素子を有することが有利である。ペルティエ素子は、アイロンの底面に冷却をもたらすのに好適な冷却特性を有し、その比較的小さな寸法によって、アイロン内に容易に組込むことができる。これは更に、その冷却速度の比較的簡単な制御も与える。
【００１１】
本発明のアイロンの１つの実施例は、底面は、動作時に加熱される複数の領域と、動作時に冷却される複数の領域を有することを特徴とする。底面に様々な加熱領域及び冷却領域が設けられると、布は、動作時に、加熱作用と冷却作用を交互に繰り返しさらされ、このことは、布の繊維の硬化及び定着を更に向上する。
【００１２】
本発明のアイロンの更なる実施例は、冷却手段は、貯水器と、貯水器と底面との間の熱接続とを有することを特徴とする。動作時に、底面は、布上を動かされるが、この布は、最初に加熱手段によって加熱される。加熱された布は、次に、熱接続を介して貯水器に接続される底面の一部に接触する。次に、布の熱は、熱接続を介して、貯水器に少なくとも部分的に伝達され、それにより、布は、低い温度に冷却される。
【００１３】
本発明のアイロンの１つの実施例は、熱接続は、比較的高い熱伝導率を有する材料から形成される素子を有し、素子は、貯水器と熱接触する一端と底面と熱接触する他端を有することを特徴とする。これにより、比較的高い熱伝導率を有する材料から形成される素子は、底面と、貯水器内の水との間の熱接触が行われる媒体として用いられる。従って、熱接続の効率の良い且つ費用効果的な構成が達成される。
【００１４】
本発明のアイロンの１つの実施例は、熱接触は、動作時に、貯水器と開連通する一端と底面と熱接触する他端を有するチャネルを有することを特徴とする。貯水器内の水は、チャネル内にも存在する。このようにすると、水は、底面と、貯水器内の水との間の熱接触が行われる媒体として用いられる。従って、もう１つの熱接続の効率の良い且つ費用効果的な構成が達成される。
【００１５】
図１ａ及び図１ｂは、本発明のアイロン１の第１の実施例を示し、第１の実施例は、筐体２と、動作時に布４の上を動かされる底面３と、底面３を加熱する加熱手段５を有する。この実施例では、アイロンは、アイロン掛けをする布の種類に依存して、底面３の加熱される部分の実用温度を特定の値に制限するための制御つまみ２５を有する。このような制御つまみは、一般的に知られており、従って、ここでは詳細に述べない。
【００１６】
底面３は、動作時に布の少なくとも一部を硬化させるための冷却手段６を有する。この手段は、移動方向Ｘから見ると、加熱手段５によって加熱される底面の部分３１の後方に設けられる。図１ｂから分かるように、この実施例における冷却手段６は、底面３に設けられる複数の通気孔１６を有し、これらは、動作時に通気孔を通る気流を生成するユニット２６に接続される。尚、この実施例では、気流生成ユニット２６は、アイロン１内に設置されるが、このユニットは、通気孔１６への接続を有しながら外部に設置され得ることを理解するものとする。この実施例では、冷却手段６は、底面３の後部７に設けられる。動作時に、アイロン１は、布４の上を動かされ、アイロンの重量及び動作によって、布の繊維に、張力及び圧縮力がかかる。最初に、加熱手段５が、布４内の繊維を加熱し、それにより、繊維が伸び、柔らかく且つ動くことが可能となる。次に、動作時の１つのアイロン掛け工程の終わりにおいて、布の繊維を冷却するために、気流が、ユニット２６によって生成され、通気孔１６を介して布に与えられる。冷却手段６は、底面３に組込まれ、底面３は、冷却時にも布と依然として接触しているので、繊維には、冷却される際にも張力及び圧縮力がかかっている。このようにすると、繊維の効果的な硬化が実現され、このことは、アイロン仕上げを向上する。
【００１７】
冷却手段６の冷却速度が制御可能であると有利である。布の繊維が柔らかく且つ動くようになる温度は、布によって異なり、従って、冷却速度も、アイロン掛けされる布の種類に依存して異なるべきである。例えば、ナイロンからしわを取るには、繊維の加熱は、約５０℃までで十分である。このことは、例えば、アイロン時に、約１５０℃まで加熱される綿の比較的高速な冷却に必要な冷却速度に比べて比較的遅い冷却速度をもたらす。
【００１８】
図２は、本発明のアイロン１の更なる実施例を示し、ここでは、底面は、動作時に加熱手段５によって加熱される少なくとも１つの第１の領域３１を有し、冷却手段６は、動作時に冷却装置３６によって冷却される少なくとも１つの領域３２を有する。図２の部分のうち図１ａ及び図１ｂに対応するものは、対応する参照番号を有する。
【００１９】
この実施例では、冷却装置３６は、ペルティエ素子を有する。ペルティエ素子３６は、動作時に、この第２の領域３２を冷却するために第２の冷却領域３２に熱接続し、動作時に、底面３の第２の領域３２下にある布の繊維の冷却及び硬化を実現する。その寸法及び冷却特性によって、ペルティエ素子は、本発明のアイロンの冷却装置として用いるのに非常に適している。それは更に、冷却速度を制御することが比較的容易であり、このことは、上述したように、有利であることは分かっている。
【００２０】
第２の領域３２を加熱された第１の領域３１から断熱し、本発明のアイロンが適切に動作するようにする断熱部５０が設けられることを明記する。第１の領域は、加熱手段からの熱を布に適切に伝達するために高い熱伝導率を有する材料から構成されることが有利である。しかし、第２の領域は、可能な限り冷たく維持されるべきである。この断熱部は、第２の領域が、第１の領域との少なくとも接続点において、低熱伝導率を有する材料により構成されることによって実現され得る。
【００２１】
この実施例では、ペルティエ素子の冷却速度は、第２の制御つまみ３５によって制御可能である。第１の制御つまみ２５を用いて、ユーザは、上述したように、アイロン掛けする布の種類に依存して、最適な加熱温度を予め設定することができ、そして、ユーザは、同様に、第２の制御つまみを用いて、特定の種類の布に最適な冷却速度を予め設定することができる。尚、加熱及び冷却の両方の制御は、１つの制御つまみに組込まれる場合もあり、この制御つまみは、選択された布の種類に応じて、加熱素子の温度と冷却手段の冷却速度の両方を制御する。
【００２２】
図３は、本発明のアイロン１の第３の実施例を示し、ここでは、底面３は、動作時に加熱される複数の領域３１’、１３１と、動作時に冷却される複数の領域３２’、１３２を有する。このようにすると、布は、本発明のアイロンの動作時に、交互に加熱作用と冷却作用にさらされる。尚、この動作時の交互の加熱と冷却は、布の繊維の硬化及び定着を更に向上することが分かっており、これは、最終的なアイロン仕上げには有利である。領域３１’、１３１、３２’、１３２は、所定のパターンで配置される。このパターンは、アイロンの種類に適するよう変えられる。例えば、スチームアイロンでは、加熱される領域と冷却される領域の底面における配置は、スチーム出口の好適な場所に依存し得る。スチーム機能のないアイロンは、加熱領域と冷却領域とを様々なパターンで配置することができる。
【００２３】
図４ａ及び図４ｂは、本発明のアイロンの第４の実施例及び第５の実施例を示し、ここでは、冷却手段６は、貯水器８と、貯水器８と底面３間の熱接続４６を有する。この実施例では、ここではより詳細には図示しないが、断熱部が、貯水器の周りに設けられ、それにより、筐体内の加熱手段から放出される熱によって貯水器の内容物が加熱されることを阻止する。この実施例では、熱接続４６は、例えば、銅といった比較的高い熱伝導率を有する材料から形成される素子５６を有し、この素子５６は、貯水器８と熱接触する一端５８と、底面３と熱接触する他端５７を有する。
【００２４】
動作時には、貯水器８に水が充填される。アイロンを布４の上を動かすことによって、最初に加熱された布の一部が、この実施例では、第２の領域３２’’である熱接続を介して貯水器に接続する底面の一部と接触するようになる。次に、布４にある熱は、比較的高い熱伝導率を有する材料から形成される素子５６を介して、貯水器８に少なくとも部分的に伝達される。次に、貯水器８内の水は、この熱の少なくとも一部を吸収し、それにより、布が低い温度に冷却される。更なる実施例では、熱接触４６は、動作時に、貯水器８に開連通する一端６８と、底面３と熱接触する他端６７を有するチャネル７６内に存在する水柱６６を有する。この実施例では、水柱６６は、素子５６と同様に、熱接続４６の機能を満たす。アイロンがスチームアイロンである場合、貯水器８内の水は、スチームにも機能し得る。
【００２５】
尚、動作時に、貯水器８は、布から発生する熱の吸収を更に促進する水を有する混合液内の化学物質で充填されるか、又は、貯水器８には、水無しでそのような化学物質のみ、又は、１つ以上の他の化学物質を有する水との混合液が入れられ得る。これには、例えば、アルコールと水の混合液、又は、例えば、脱毛装置用の周知の冷却装置に用いられるような水溶性食塩水が挙げられる。
【００２６】
本発明のアイロンにおける冷却手段６は、上述した実施例に制限されるものではない。冷却手段６は、例えば、冷凍された後に底面３の好適な空間内に挿入される冷凍パックを有するか、又は、第２の領域３２は、第１の領域から断熱される非常に低い熱伝導率を有する材料から形成される。
【００２７】
動作時に布の少なくとも一部を硬化する冷却手段は、布の繊維の硬化を向上する。アイロンが布上を動かされると、アイロンの重量及び動作によって、繊維に張力と圧縮力がかかる。布の繊維が加熱された後、底面にある冷却手段は、次に、底面が布に依然として接触しているので張力及び圧縮力がかかっている繊維を冷却する。これにより、繊維がより迅速且つ効果的に硬化し、アイロン仕上げが向上する。
【図面の簡単な説明】
【００２８】
【図１ａ】本発明によるアイロンの第１の実施例を示す断面側面図である。
【図１ｂ】本発明によるアイロンの第１の実施例を示す底面図である。
【図２】本発明によるアイロンの第２の実施例を示す断面側面図である。
【図３】本発明によるアイロンの第３の実施例を示す底面図である。
【図４ａ】本発明によるアイロンの第４及び第５の実施例を示す断面側面図である。
【図４ｂ】本発明によるアイロンの第４及び第５の実施例を示す底面図である。
【図１ａ】
2005510318.tif 000003
【図１ｂ】
2005510318.tif 000004
【図２】
2005510318.tif 000005
【図３】
2005510318.tif 000006
【図４ａ】
2005510318.tif 000007
【図４ｂ】
2005510318.tif 000008
【国際調査報告】
2005510318.tif 000009
2005510318.tif 000010